(57)【要約】【課題】  利用者の注意を引き、高い利用率を確保できる宣伝効果の高い特典具を提供する。【解決手段】  特典具１を、アルミニウムを原料として、ほぼ６５ｍｍの長さ、ほぼ３６ｍｍの幅及びほぼ２．０ｍｍの厚さを有する小判形に形成する。表面３に割引金額５を表示しておくとともに、裏面１１に、この特典具１が利用可能な店舗名１３、１５を表示しておく。特典具１には、利用可能な店舗に引き渡すことにより、この店舗での利用又は売買代金から割引金額５だけ減額されるといった特典が付されている。【選択図】  図１
2005084264.tif 000002
【特許請求の範囲】
【請求項１】
金属材料を用いて古金銀・銭貨を模した形状に形成され、一方側面に特典想起文字又は記号が凹凸状に表示されるとともに、他方側面に利用確認情報が凹凸状に表示されていて、
利用可能な店舗に引き渡すことにより、この店舗で所定の特典が受けられるものであり、
面積が５００ｍｍ２以上、３５００ｍｍ２以下で、厚さが０．５ｍｍ以上、８．０ｍｍ以下である、ことを特徴とする特典具。
【請求項２】
前記特典想起文字又は記号は割引金額であり、利用可能な店舗に引き渡すことにより、この店舗での利用又は売買代金から表示された前記割引金額が減額される、ことを特徴とする請求項１記載の特典具。
【請求項３】
前記利用確認情報は、特典具名称である、ことを特徴とする請求項１又は２記載の特典具。
【請求項４】
前記古金銀・銭貨を模した形状及びこの形状の色の組み合わせは複数種類準備されていて、前記古金銀・銭貨を模した形状及びこの形状の色の組み合わせの種類が異なるものは、異なる前記割引金額が表示されている、ことを特徴とする請求項２記載の特典具。
【請求項５】
前記古金銀・銭貨を模した形状は小判形状である、ことを特徴とする請求項１、２、３又は４記載の特典具。
【請求項６】
金属材料を用いて古金銀・銭貨を模した形状に形成され、利用可能な店舗に引き渡すことにより、この店舗で所定の特典が受けられる特典具と、この特典具の利用可能な店舗の情報が印刷表示されている紙製等情報媒体と、を備え、
前記特典具には、一方側面に特典想起文字又は記号が凹凸状に表示されている、ことを特徴とする特典セット。
【請求項７】
前記紙製等情報媒体には、受けることができる特典内容が店舗別に印刷表示されている、ことを特徴とする請求項６記載の特典セット。
【発明の詳細な説明】
【技術分野】
【０００１】
本発明は、小売店や飲食店等、商品の販売やサービスの提供などを行う店舗が、広告宣伝又は販促のために、街頭あるいはダイレクトメール又は当該店舗で利用者に配布する、引き渡しにより特典を受けることができる特典具及びこのような特典具を用いた特典セットに関する。
【背景技術】
【０００２】
小売店や飲食店等では、開店の時などに集客を図る目的で、不特定多数の人に案内のチラシあるいはチラシ広告を配布することがたびたび行われる。そして、チラシ広告を受け取った人が店舗に足を向けやすくなるように、これらに割引クーポン（特典券）を設けることもよく行われている（例えば特許文献１参照）。
【０００３】
【特許文献１】特開平１１−１２６０２１号公報（第３頁、図１）
【発明の開示】
【発明が解決しようとする課題】
【０００４】
ところで、このようなチラシ広告は、新聞の折り込み、街頭等あるいは郵便で利用者に配布されることとなるが、チラシ広告は巷に溢れている。特に街頭で配布する場合には、チラシ広告は通行人に受け取られないことも多い。また、受け取られたとしても、あるいは新聞や郵便によって利用者の手元に届いたとしても、目を通されず、そのまま捨てられてしまうこともまれではない。したがって、居酒屋などによるこういったチラシ広告は、十分な広告宣伝効果を期待できず、コストを低く抑える方策を講じて宣伝広告費を削減したとしても、有効な広告宣伝手段とはなり難いものである。
【０００５】
そこで、本発明は、利用者の注意を引き、高い利用率を確保できる宣伝効果の高い特典具及び特典セットを提供することを目的とする。
【課題を解決するための手段】
【０００６】
この目的を達成するための本発明の特典具あるいはクーポン手段は、金属材料を用いて古金銀・銭貨を模した形状に形成され、一方側面に特典想起文字又は記号が凹凸状に表示されるとともに、他方側面に利用確認情報が凹凸状に表示されていて、使用又は利用可能な店舗に引き渡すことにより、この店舗で所定の特典が受けられるものである。特典具は、古金銀・銭貨、すなわち、大判又は小判（古金銀）あるいは大判又は小判以外の古銭（古コイン：古銭貨）を模した形状に金属材料を用いて形成されているので、受け取った者（利用者）の好奇心を十分刺激して携帯意欲又は所持意欲を高める。特典具は、大きさも古金銀・銭貨と同一又はほぼ同一とすることができる。そして、特典具の一方側面には、受け取った者に一目でこの特典具による利得を想起させるような特典想起文字又は記号、例えば、店舗で受けられる特典の内容を簡単に示す文字又は記号、あるいは特典を受けられることを示す文字又は記号が表示されているため、受け取った者の利用意欲が高められる。特典具の他方側面に表示される利用確認情報は、例えば利用可能な店舗情報とすることができるが、利用可能な店舗数が多い場合には、例えば、この特典具の名称としておき、利用可能な店舗が記載されている紙製等情報媒体に、この名称と同一の名称を付しておくことができる。ここでは、特典具の名称を介して、利用可能な店舗情報を得ることができる。あるいは、特典内容の詳細が記載されている紙製等情報媒体に、この名称と同一の名称を付しておくことができる。ここでは、特典具の名称を介して、特典内容の詳細情報を得ることができる。すなわち、利用確認情報は、例えば、利用可能な店舗を確認することのできる、あるいは利用可能な店舗又は特典内容の詳細を確認するために必要な情報である。
【０００７】
特典具は、捨て難さ及び携帯性を考慮して、５００ｍｍ２以上、３５００ｍｍ２以下の面積及び０．５ｍｍ以上、８．０ｍｍ以下の厚さを有していることが好ましい。面積が５００ｍｍ２を下回ると存在感に乏しくなり、３５００ｍｍ２を超えると持ち歩くことが難しくなる。また、厚さが０．５ｍｍを下回ると重厚感に乏しくなり、８．０ｍｍを超えるとやはり持ち歩くことが難しくなる。例えば特典具は、長さが６０ｍｍ以上、１００ｍｍ以下で、幅が３０ｍｍ以上、６０ｍｍ以下、そして、厚さが１．０ｍｍ以上、６．０ｍｍ以下である、といった構成を有することができる。この大きさは、実際の小判の大きさとほぼ等しい。
【０００８】
特典具の利用によって店舗で受けられる特典の内容が、当該店舗での利用又は売買代金の割引きである場合には、特典想起文字又は記号を割引金額とすることができる。そして、特典具を、使用又は利用可能な店舗に引き渡すことにより、この店舗での利用又は売買代金から表示された割引金額が減額されるように取り扱う。このように構成すれば、利用者に特典内容を明確に伝えることができる。また、特典想起文字又は記号としては「特典小判」のような特典を受けられることを明確に表示しながら内容を秘密にしておいて利用者の興味を刺激するようなものであってもよい。「特典小判」のような表示はまた、特典内容が多様であったり、複雑であったりする場合にも用いられる。
【０００９】
複数の割引金額を適用する場合に、特典具の大きさや色に応じて、あるいは元となった古金銀・銭貨の価値に応じて割引金額表示を行えば、利用者の好奇心又は遊び心をより刺激して特典具の利用をさらに促進することが可能となる。また、割引をする側にとっても、割引金額を誤るおそれが少なくなる。したがって、古金銀・銭貨を模した形状及びこの形状の色の組み合わせを複数種類準備しておき、古金銀・銭貨を模した形状及びこの形状の色の組み合わせの種類が異なるものに、異なる割引金額を表示する、といったことは効果的である。ここでは、例えば、同一の形状（大きさを含む）及び色の特典具には同一の割引金額が表示され、形状（大きさを含む）又は色が異なる特典具には異なる割引金額が表示される。
【００１０】
特典具を小判形とすれば、広い年齢層に親しまれて受け入れられる。
【００１１】
また、本発明の特典セットあるいはクーポンセットは、金属材料を用いて古金銀・銭貨を模した形状に形成され、利用可能な店舗に引き渡すことにより、この店舗で所定の特典が受けられる特典具と、この特典具の利用可能な店舗の情報が印刷表示されている紙製等情報媒体と、を備え、前記特典具には、一方側面に特典想起文字又は記号が凹凸状に表示されているといったものである。各店舗で受けることができる特典は異なるのが普通であるから、紙製等情報媒体には、受けることができる特典内容を店舗別に印刷表示しておくことが効果的である。紙製等情報媒体には、紙製情報媒体及びプラスチック製情報媒体が含まれる。
【発明の効果】
【００１２】
以上述べたように、本発明の特典具及び特典セットは、価値ある特典を強力にイメージさせ、しかも、簡単に廃棄され難いものなので、大きな広告宣伝効果を奏するものである。
【発明を実施するための最良の形態】
【００１３】
以下、本発明を実施するための形態を図面を参照して説明する。
【００１４】
図１は本発明に係る特典具の表面側及び裏面側を示す図である。
【００１５】
特典具（特典銭あるいはクーポン銭）１は、アルミニウムを原料として小判を模した形状あるいは小判形に形成され、ほぼ６５ｍｍの長さ、ほぼ３６ｍｍの幅（ほぼ２１００ｍｍ２の面積）及びほぼ２．０ｍｍの厚さを有していて、ほぼ１７ｇの重さとなるように構成されている。特典具１は全体が銀色に着色され、この特典具１の表面３（一方側面）には、割引金額５（特典想起文字又は記号）が表示されるとともに、表面側極印７があしらわれていて、特典具１の表面３にはまた、ゴザ目（短い幅方向のすじ）９が設けられている。特典具１の裏面１１（他方側面）には、特典具１を利用することのできる店舗名１３、１５（利用確認情報）が表示されるとともに、裏面側極印１７があしらわれている。
【００１６】
割引金額５は、特典具１の表面３の中央部に形成されている、長さ方向（上下方向）に長い長方形状の凹部１９内に、凸状的に、かつ、ほぼ一杯に表示されていて、特典具１（表面３）の長さの半分を超える長さ、および特典具１（表面３）の幅のほぼ３分の１の幅で、表面３の中心部に位置して表されている。凹部１９の外周には細い枠部が形成されている。表面側極印７は、凹部１９の上側及び下側にそれぞれ凹凸表示されていて、特典具１の表面３には、凹部１９（枠部）及び表面側極印７の外側全体で、ゴザ目９が刻設表示されている。
【００１７】
店舗名１３、１５は、特典具１の裏面１１の長さ方向（上下方向）中央及び下側にそれぞれ、特典具１（裏面１１）の幅ほぼ一杯で形成されている、幅方向に長い長方形状の凹部２１、２３内に、凸状的に、かつ、ほぼ一杯に表示されている。また、裏面側極印１７は、上下方向中央の凹部２１の上側に刻設表示されている。
【００１８】
特典具１は、駅前や街頭で、店舗の広告宣伝のために無料で配布されるものであるが、小判の形状及び色彩を有し、しかも割引金額５が大きく表示されているため、利用者は、大きな金銭的特典を連想して特典具１を受け取る。そして、その形状や重量感のため、特典具１をそのまま捨ててしまうことに抵抗をもち、携帯することとなるので、優れた広告宣伝効果が得られることとなる。なお、特典具１は、再来店を促すために、店舗で来店者にも配布される。
【００１９】
ここで、特典具１の使用態様が、実際に来店した利用者に、再来店を促進する手段として、すなわち、次回の特典を受けられるものとして配布されるといったところに限定される場合には格別であるが、街頭などで不特定の者に配布される場合には、特典具１の裏面１１に店舗名１３、１５を表示するだけでは、利用者に十分な店舗情報を提供することができない。そこで、店舗名１３、１５とともに、特典具１の裏面１１に店舗の電話番号を表示するようにしてもよい。
【００２０】
また、利用可能店舗数が多い場合や、店舗情報として店舗番地や店舗地図なども利用者に提供しておきたい場合などでは、特典具１の裏面１１に全ての情報を表示しておくことができない。このような場合には、図２に示すように、例えば、特典具１の裏面１１に利用可能なグループ名２５（店舗情報：利用確認情報）のみを表示し、このグループに属する、特典具１を利用可能な店舗名２７、この店舗の電話番号２９及び店舗番地３１などを印刷したチラシ又はチラシ広告３３（紙製情報媒体又は紙製広告媒体）を別に準備しておき、特典具１とチラシ３３とを特典セット（クーポンセット）３５として利用者に配布することが好ましい（図２は特典セット３５の構成を示す図）。
【００２１】
図３は特典セット３５の配布方法を説明するための図である。
【００２２】
ここでは、特典具１とチラシ３３とをポケットティッシュ３７のポリエチレン又はビニール製の外袋３９内に収めて配布する。チラシ３３は、必要な場合には、ポケットティッシュ３７の大きさ（広さ）に折り畳まれて外袋３９の奥側（取り出し口と反対側）に配置され、特典具１は、表面３又は割引金額５が外側を向くこととなるように、チラシ３３と外袋３９との間に収容される。
【００２３】
図４は特典具１とともに使用される別の特典具の表面側を示す図である。
【００２４】
別の特典具４１は、アルミニウムを原料として小判を模した形状あるいは小判形に形成され、ほぼ７０ｍｍの長さ、ほぼ４０ｍｍの幅（ほぼ２５００ｍｍ２の面積）及びほぼ２．０ｍｍの厚さを有していて、ほぼ２０ｇの重さとなるように構成されている。特典具４１は全体が金色に着色され、この特典具４１の表面４３（一方側面）には、割引金額４５（特典想起文字又は記号）が表示されていて、表示された割引金額４５は、特典具１とは異なっているが（特典具１の割引金額５は５００円であるが、特典具４１の割引金額４５は１０００円である）、その他の構成は、大きさの点を除けば特典具１と同一である。
【００２５】
図５は特典具１の表面３における表示内容及びチラシ３３の印刷内容の変更例を示す図である。
【００２６】
特典具１の表面３の中央部に形成されている凹部１９内には、割引金額５の代わりに、「特典小判」の文字４７（特典想起文字又は記号）が凸状的に、かつ、ほぼ一杯に表示されている。この「特典小判」の文字４７はまた、特典具１（表面３）の長さの半分を超える長さ、および特典具１（表面３）の幅のほぼ３分の１の幅で、表面３の中心部に位置して表されている。この特典具１は、引き渡しによって、利用又は売買代金からの所定額の減額を受けられるものとして構成することもできるが、ここでは、利用又は売買代金からの所定割引率による減額を受けられたり、特定の商品（おまけ）やサービス等の無料提供を受けられたりするものとして利用される。また、この特典具１と組み合わせて使用されるチラシ３３には、店舗ごとに特典の内容４９が印刷されている。
【００２７】
図６は特典具１の裏面１１における表示内容の変更例を示す図である。
【００２８】
特典具１の裏面１１には、やや下側寄りに、長さ方向（上下方向）に長い長方形状の凹部５１が形成され、この凹部５１内には、特典具１の名称である「招き銭」の文字５３（利用確認情報）が、凸状的に、かつ、ほぼ一杯に表示されていて、この「招き銭」の文字５３は、特典具１（裏面１１）の長さのほぼ半分の長さ、および特典具１（裏面１１）の幅のほぼ３分の１の幅で、裏面１１のやや下側寄りに位置して表されている。凹部５１の外周には細い枠部が形成されている。裏面１１にはまた、凹部５１の上側から幅方向両側にわたって招き猫をあしらった図形５５が刻設表示されている。この特典具１は、例えば、利用可能な店舗数が多い場合に用いられ、利用可能な店舗情報が印刷表示されている図７に示すチラシ冊子５７（紙製情報媒体又は紙製広告媒体）とともに特典セットを構成して配布される（図７はチラシ冊子を示す図）。チラシ冊子５７は、表紙５９に特典具１の名称である「招き銭」の文字が印刷されている。特典具１の表面３には通常、「特典小判」の文字４７が表示され、チラシ冊子５７には、店舗情報とともに、各店舗で受けることのできる特典内容の詳細が印刷表示される。なお、チラシ冊子５７の表紙５９に図形５５を印刷表示すれば（図７の仮想線参照）、図形５５も利用確認情報と捉えることができる。
【００２９】
図８は特典具１の別の配布方法を説明するための図である。
【００３０】
特典具１は、例えばペットボトル飲料である商品６１に付加されて配布されるように構成することができる。この場合には、例えば、数枚の特典具１と引き換えに商品６１を１つ無料提供するといった具合に特典内容を構成する。ここでは、特典具１は、ポリエチレン又はビニール製の袋６３に収容されて、商品６１に吊り下げられることにより付加されているが、ポリエチレン又はビニール製の袋６３の裏面（ポリエチレン又はビニール製情報媒体又はポリエチレン又はビニール製広告媒体）には、特典具１の名称である「招き銭」の文字及び特典内容の詳細が印刷表示されている。
【産業上の利用可能性】
【００３１】
本発明の特典具を利用すれば、小売店や飲食店などで満足な集客を達成することが可能となる。また、複数又は多数の店舗で同じ特典具を採用すれば、特典具にコミュニティー通貨の要素が加わるため、特典具の有用性が高まり、さらに使用頻度が増すことにもなる。
【図面の簡単な説明】
【００３２】
【図１】本発明に係る特典具の表面側及び裏面側を示す図である。
【図２】特典セットの構成を示す図である。
【図３】特典セットの配布方法を説明するための図である。
【図４】別の特典具の表面側を示す図である。
【図５】特典具の表面における表示内容及びチラシの印刷内容の変更例を示す図である。
【図６】特典具の裏面における表示内容の変更例を示す図である。
【図７】チラシ冊子を示す図である。
【図８】特典具の別の配布方法を説明するための図である。
【符号の説明】
【００３３】
１、４１              特典具
３、４３              表面（一方側面）  
５、４５              割引金額（特典想起文字又は記号）
１１                  裏面（他方側面）
１３、１５            店舗名（利用確認情報）
２５                  グループ名（利用確認情報）
４７                  文字（特典想起文字又は記号）
５３                  文字（利用確認情報）
【図１】
2005084264.tif 000003
【図２】
2005084264.tif 000004
【図３】
2005084264.tif 000005
【図４】
2005084264.tif 000006
【図５】
2005084264.tif 000007
【図６】
2005084264.tif 000008
【図７】
2005084264.tif 000009
【図８】
2005084264.tif 000010